(57)【要約】【課題】赤外線式人感センサとは異なる手段で携帯器の所在位置を室内外のどちらかに判定可能な電気錠システムを提供する。【解決手段】制御装置２０は、室外に設置される外側アンテナ２２と、これよりも室内側に設置される内側アンテナ２３とを有する。携帯器１０又は制御装置２０は、信号処理部１２、３２を有する。信号処理部１２、３２は、携帯器１０と外側アンテナ２２間での電波減衰が携帯器１０と内側アンテナ２３間での電波減衰よりも小さいことに基づいて、携帯器１０の所在位置を室内外のどちらかに判定する。【選択図】図１
2015183454.tif 000002
【特許請求の範囲】
【請求項１】
錠を制御する制御装置と、前記制御装置に認証される携帯器とを備える電気錠システムにおいて、
前記制御装置は、室外に設置される外側アンテナと、前記外側アンテナよりも室内側に設置される内側アンテナとを有し、
前記携帯器と前記外側アンテナ間での電波減衰が当該携帯器と前記内側アンテナ間での電波減衰よりも小さいことに基づいて、当該携帯器の所在位置を室内外のどちらかに判定する信号処理部を備えることを特徴とする電気錠システム。
【請求項２】
前記外側アンテナは、第１の所定信号を発する送信アンテナからなり、
前記内側アンテナは、前記第１の所定信号に比して異なる信号パターンに定められた第２の所定信号を発する送信アンテナからなり、
前記携帯器は、前記信号処理部を有し、
前記信号処理部は、前記第１の所定信号と前記第２の所定信号間での受信強度差及び前記信号パターンの相異に基づいて、前記携帯器の所在位置を判定する請求項１に記載の電気錠システム。
【請求項３】
前記第１の所定信号と前記第２の所定信号は、同時間軸上で互いの信号パターンを消し合う関係に定められており、
前記信号処理部は、前記第１の所定信号と前記第２の所定信号を同時間軸上で合成した信号を読解し、当該合成した信号を正規に読解できたか否かに基づいて、前記携帯器の所在位置を判定する請求項２に記載の電気錠システム。
【請求項４】
前記信号処理部によって前記携帯器が室外に所在していないと判定された場合、前記携帯器が前記制御装置と交信しない請求項２又は３に記載の電気錠システム。
【請求項５】
前記信号処理部によって前記携帯器が室外に所在していないと判定された場合、前記携帯器が当該判定結果を前記制御装置へ送信する請求項２又は３に記載の電気錠システム。
【請求項６】
前記外側アンテナは、受信アンテナからなり、
前記内側アンテナは、受信アンテナからなり、
前記制御装置は、前記信号処理部を有し、
前記信号処理部は、前記携帯器から送信された電波を前記外側アンテナで受信した受信強度と、当該電波を前記内側アンテナで受信した受信強度との受信強度差に基づいて、前記携帯器の所在位置を判定する請求項１に記載の電気錠システム。
【発明の詳細な説明】
【技術分野】
【０００１】
この発明は、制御装置が携帯器を認証した場合に限って、室の出入り口に設けられた戸の施錠・解錠を切り替える電気錠システムに関する。
【背景技術】
【０００２】
この種の電気錠システムは、錠を制御する制御装置と、予め制御装置に登録された携帯器と、室外に固定されたスイッチとを備えている。住人は、室外へ出る際に携帯器を所持し、戸を閉めてからスイッチ操作によって施錠要求を制御装置へ入力する。制御装置は、携帯器を認証し、権限を確認してから施錠状態に切り替える（例えば、特許文献１）。
【先行技術文献】
【特許文献】
【０００３】
【特許文献１】特開２００４−１９０４１９号公報
【発明の概要】
【発明が解決しようとする課題】
【０００４】
しかしながら、この種の電気錠システムでは、住人が靴を履きかえる際、携帯器を戸近くの棚等に置き、そのまま戸を閉めて施錠要求を入力してしまった場合でも、制御装置が携帯器を認証することができる。このため、そのまま施錠すると、住人が締め出されてしまう問題がある。さらに、携帯器を上述のように置き忘れると、無権限者が室外側のスイッチを操作した場合、不意に解錠されてしまう問題もある。
【０００５】
制御装置が施解錠を切り替える前に、携帯器が室内外どちらに所在しているかを確認することができれば、締め出しや、不意の解錠を未然の防止するための様々な機器制御を制御装置で行うことができる。
【０００６】
そこで、本願出願人は、人感センサを活用することにより、これら問題を解決することを検討した。例えば、図１７に示す電気錠システムは、携帯器１００と、室外に固定されたスイッチ１０１と、携帯器１００との交信により携帯器固有の認証情報を判定して施解錠の判定を行う制御装置１０２と、室内側の戸付近に取り付けられる人感センサ１０３と、室内に警告を発する警告器１０４とを備え、解錠スイッチ操作があった場合に人感センサ１０３が人検出をしている場合、制御装置１０２は、警告器１０４からの警告後、所定の制御条件に応じて解錠の可否を決定する。例えば、所定の制御条件として、警告から一定時間経過後に解錠するパターン１、その一定時間以内にサムターンの操作を検出したことを条件に解錠を拒否するパターン２、その一定時間以内に制御装置１０２に接続された他スイッチの操作を検出したことを条件に解錠を拒否するパターン３等が挙げられる。人感センサは、戸の室内側付近に人が居るか否かを検出し、その検出結果を制御装置１０２に送る。制御装置１０２は、室外側のスイッチ操作があった場合、人感センサが人を検出しているか確認し、検出しているときは、警告してから解錠することになり、住人にとって不意の解錠を防止することができる。特に、パターン２、３の場合、室内の住人は、好ましくない人物に対する解錠を拒否することができる。
【０００７】
しかしながら、近年はペットを室内で飼育する住人も増えており、中には、大型の犬等を室内で放し飼いにする可能性がある。一般に、コスト的に好ましい人感センサは、赤外線で人を検知するため、大型のペットを人と誤って検出する可能性がある。
【０００８】
上述の背景に鑑み、この発明が解決しようとする課題は、赤外線式人感センサとは異なる手段で携帯器の所在位置を室内外のどちらかに判定可能な電気錠システムを提供することにある。
【課題を解決するための手段】
【０００９】
上記の課題を達成するため、この発明は、錠を制御する制御装置と、前記制御装置に認証される携帯器とを備える電気錠システムにおいて、前記制御装置は、室外に設置される外側アンテナと、前記外側アンテナよりも室内側に設置される内側アンテナとを有し、前記携帯器と前記外側アンテナ間での電波減衰が当該携帯器と前記内側アンテナ間での電波減衰よりも小さいことに基づいて、当該携帯器の所在位置を室内外のどちらかに判定する信号処理部を備える構成を採用した。
【００１０】
携帯器が室外にある場合、外側アンテナと携帯器間の距離は、内側アンテナと携帯器間の距離よりも短い。空気等の損失媒体中では、電波は指数関数的に減衰する。したがって、携帯器が室外に所在している場合、外側アンテナと携帯器間の無線通信では、電波減衰による受信強度の低下が比較的小さくなり、内側アンテナと携帯器間の無線通信では、電波減衰による受信強度の低下が比較的大きくなる。逆に、携帯器が室内に所在している場合、内側アンテナと携帯器間の無線通信の方に、電波減衰による受信強度の低下が比較的小さくなる。前述の電波減衰特性を利用して、それら両間の無線通信で受信した信号を信号処理部で解析し、携帯器の所在位置を室内外のどちらかに判定することができる。
【発明の効果】
【００１１】
したがって、この発明は、赤外線式人感センサとは異なる手段で携帯器の所在位置を室内外のどちらかに判定可能な電気錠システムを提供することができる。
【図面の簡単な説明】
【００１２】
【図１】第１実施例に係る電気錠システムの無線エリア付近の構成要素を示す概念図
【図２】第１実施例の機能ブロック図
【図３】（ａ）は図１の外側アンテナから発信される第１の所定信号の信号パターンを示す図、（ｂ）は図１の内側アンテナから発信される第２の所定信号の信号パターンを示す図
【図４】図１の室外側で携帯器が図３（ａ）、（ｂ）の両所定信号を受信した合成信号のパターンの一例を示す図
【図５】図１の室外側で携帯器が図３（ａ）、（ｂ）の両所定信号を受信した合成信号のパターンの別例を示す図
【図６】図１の室外側で携帯器が図３（ａ）、（ｂ）の両所定信号を受信した合成信号のパターンの他例を示す図
【図７】図１の室内側で携帯器が図３（ａ）、（ｂ）の両所定信号を受信した合成信号のパターンの一例を示す図
【図８】図１の室内側で携帯器が図３（ａ）、（ｂ）の両所定信号を受信した合成信号のパターンの別例を示す図
【図９】第１実施例の動作概要を示すフローチャート図
【図１０】第１実施例の制御装置の動作を示すフローチャート図
【図１１】第１実施例の携帯器の動作を示すフローチャート図
【図１２】第２実施例の機能ブロック図
【図１３】第２実施例の動作概要を示すフローチャート図
【図１４】第２実施例の制御装置の動作を示すフローチャート図
【図１５】第２実施例の携帯器の動作を示すフローチャート図
【図１６】第３実施例の外側アンテナ及び内側アンテナを示す図
【図１７】電気錠システムの一検討例を示す機能ブロック図
【発明を実施するための形態】
【００１３】
この発明の好ましい実施形態を説明する。
第１実施形態は、前記信号処理部を前記携帯器に備えるものである。すなわち、前記外側アンテナは、第１の所定信号を発する送信アンテナからなる。前記内側アンテナは、前記第１の所定信号に比して異なる信号パターンに定められた第２の所定信号を発する送信アンテナからなる。前記携帯器は、前記信号処理部を有する。前記信号処理部は、前記第１の所定信号と前記第２の所定信号間での受信強度差及び前記信号パターンの相異に基づいて、前記携帯器の所在位置を判定する。
【００１４】
第１実施形態によれば、外側アンテナから送信される第１の所定信号、内側アンテナから送信される第２の所定信号との間に信号パターンの相異があるため、信号処理部は、これら両所定信号を識別することが可能となり、また、これら両所定信号の間で受信強度を比較することも可能となる。
【００１５】
第1実施形態において、第１の所定信号、第２の所定信号の送信タイミングを同時にしてもよいし、異ならせてもよい。同時送信することができれば、異なる送信タイミングにする場合よりも判定処理や回路を単純化することができ、また、携帯器の急速な移動で判定精度が低下する心配もない。
【００１６】
第２実施形態は、第１実施形態において、第１の所定信号と第２の所定信号の同時送信に好適化したものである。すなわち、前記第１の所定信号と前記第２の所定信号は、同時間軸上で互いの信号パターンを消し合う関係に定められている。前記信号処理部は、前記第１の所定信号と前記第２の所定信号を同時間軸上で合成した信号を読解し、当該合成した信号を正規に読解できたか否かに基づいて、前記携帯器の所在位置を判定する。
【００１７】
第１の所定信号と第２の所定信号を同時送信すると、携帯器は、前記合成した信号を得ることができる。当該合成した信号を読解する第２実施形態によれば、両所定信号の識別及び受信強度の強弱比較を読解性だけに基づいて判断することができる。すなわち、第１の所定信号の受信強度と、第２の所定信号の受信強度との間に十分な差があれば、当該合成した信号の全てを正規に読解することが可能となる。一方、受信強度の差が不足する場合、当該合成した信号の少なくとも一部において第１の所定信号と第２の所定信号が互いの信号パターンを消し合うため、当該合成した信号の全てを正規に読解することが不可能となる。例えば、第１の所定信号が第２の所定信号よりも強い受信強度で当該合成した信号の全て読解できたことは、携帯器が室外に所在していることを示す受信状況であることに相当する。また、合成した信号の全てを正規に読解できなかったことは、携帯器が室内に所在しているか、内外の両アンテナから離れすぎていることを示す電波状況に相当する。
【００１８】
第３実施形態は、第１又は２実施形態において、前記信号処理部によって前記携帯器が室外に所在していないと判定された場合、前記携帯器が前記制御装置と交信しないものである。
【００１９】
前記信号処理部によって前記携帯器が室外に所在していないと判定された場合、携帯器が室内に所在している可能性、すなわち携帯器を置き忘れている可能性があるので、制御装置が施解錠を切り替えることが好ましくない。第３実施形態によれば、そのような場合に、携帯器が制御装置と交信しないため、認証を経て施解錠に至る心配がなく、不必要な交信による携帯器のバッテリ消費を抑えることもできる。
【００２０】
第４実施形態は、第１又は第２実施形態において、前記信号処理部によって前記携帯器が室外に所在していないと判定された場合、前記携帯器が当該判定結果を前記制御装置へ送信するものである。
【００２１】
第４実施形態によれば、置き忘れの可能性がある場合に、携帯器の室内所在の可能性を携帯器から制御装置へ知らせ、制御装置によって置き忘れや不意の解錠を防止するための制御を実行することが可能となる。
【００２２】
第５実施形態は、前記信号処理部を前記制御装置に備えるものである。すなわち、前記外側アンテナは、受信アンテナからなる。前記内側アンテナは、受信アンテナからなる。前記制御装置は、前記信号処理部を有する。前記信号処理部は、前記携帯器から送信された電波を前記外側アンテナで受信した受信強度と、当該電波を前記内側アンテナで受信した受信強度との受信強度差に基づいて、前記携帯器の所在位置を判定する。
【００２３】
第５実施形態は、同じ送信元である携帯器からの電波を外側アンテナ、内側アンテナで受信すればよいため、識別性をもった２つの信号を用いる必要がない。さらに、携帯器の所在判定を制御装置側で全て行うため、判定結果を送信することなく、制御装置によって置き忘れや不意の解錠を防止するための制御を実行することが可能となる。したがって、第５実施形態によれば、携帯器の仕様を変更することなく、この発明を適用することが可能である。
【実施例】
【００２４】
この発明の第１実施例を添付図面に基づいて説明する。図１、図２に示すように、第１実施例は、戸１に取り付けられる錠２と、住人に所持される１つ以上の携帯器１０と、錠２を制御する制御装置２０とを備える電気錠システムからなる。
【００２５】
制御装置２０は、室外に固定される室外側スイッチ２１と、室外に設置される外側アンテナ２２と、外側アンテナ２２よりも室内側に設置される内側アンテナ２３と、受信アンテナ２４と、制御部２５とを有する。室外側スイッチ２１は、例えば、室壁３に固定されている。外側アンテナ２２は、戸１、室壁３等を利用して、室外に位置する箇所に固定される。内側アンテナ２３は、戸１、室壁３等を利用して、外側アンテナ２２よりも室内に近い箇所に固定される。
【００２６】
錠２は、サムターン４を有し、サムターン４を回す操作でデッドボルトを施錠位置又は解錠位置に動かすことが可能になっている。制御部２５は、サムターン４の操作を監視する。
【００２７】
制御装置２０には、戸１ごとに施解錠権限を認める携帯器１０が登録される。制御部２５は、携帯器１０ごとに固有に割り当てられた認証情報を予め内部メモリに記憶している。室外側スイッチ２１に対する施錠操作、解錠操作は、制御部２５への入力に変換される。制御部２５は、錠２の施解錠を切り替えの可否を決定する。また、制御部２５は、自己に接続された錠２の操作を監視する。制御部２５には、警告器、ドアホン等の他機器の操作スイッチを監視する機能を追加することもできる。
【００２８】
外側アンテナ２２は、送信アンテナになっている。内側アンテナ２３は、送信アンテナになっている。
【００２９】
外側アンテナ２２は、図３（ａ）に示す第１の所定信号をデジタルに発する。第１の所定信号の信号パターンは、２つの横長矩形状信号の間にギャップを空けたパターンになっている。同図中において、上下方向は、信号電波の強弱に対応し、当該パターンの図中上下方向中央を左右に貫通する実線は、時間軸を示す。
【００３０】
内側アンテナ２３は、図３（ｂ）に示す第２の所定信号をデジタルに発する。第２の所定信号の信号パターンは、図中に黒塗りで描いたように、１つの縦長矩形状信号からなる。同図中において、上下方向は、信号電波の強弱に対応し、当該パターンの図中上下方向中央を左右に貫通する実線は、図３（ａ）の時間軸と同一の時間軸を示す。
【００３１】
図３（ａ）、（ｂ）の比較から明らかなように、第２の所定信号は、第１の所定信号に比して異なる信号パターンに定められている。具体的には、第２の所定信号は、前記時間軸上の位置において、第１の所定信号のギャップと同じ位置にある。したがって、図３（ａ）に示す第１の所定信号と図３（ｂ）に示す第２の所定信号は、同時間軸上で互いの信号パターンを消し合う関係に定められている。なお、完全に消し合う必要性はなく、第１実施例では、第２の所定信号の電波強度は、第１の所定信号の横長矩形状信号に対して弱めに定められている。なお、携帯器１０が室外にある場合に第１の所定信号を明瞭に読解し易くするため、第２の所定信号のアンテナ出力を第１の所定信号のアンテナ出力よりも小さく設定することが好ましい。
【００３２】
制御部２５は、第１、第２の所定信号を生成するための情報を内部メモリに記憶している。制御部２５は、室外側スイッチ２１の施解錠操作が有ると、第１、第２の所定信号を外側アンテナ２２、内側アンテナ２３から発信する。第１、第２の所定信号の送信タイミングは、同時発信に設定されている。なお、送信開始と送信終了を示すため、制御部２５は、比較的長い信号である第１の所定信号の前後にプリアンブル、ポストアンブルの各信号（図示省略）を外側アンテナ２２から発信する。
【００３３】
携帯器１０は、アンテナ部１１と、信号処理部１２と、交信制御部１３とを有する。携帯器１０は、制御装置２０との交信を経て、制御装置２０に認証される。
【００３４】
アンテナ部１１は、制御装置２０との交信用電波の発信及び受信を担う。アンテナ部１１は、例えば、送受信用アンテナからなる。
【００３５】
交信制御部１３は、所定のプログラムや所定の電文を内部メモリに記憶している。所定の電文には、少なくとも、自己に割り当てられた認証情報が含まれている。交信制御部１３は、制御装置２０との無線通信をプログラムに従って制御する。この制御には、電文をアンテナ部１１から発信する可否判断が含まれる。
【００３６】
信号処理部１２は、第１の所定信号と第２の所定信号間での受信強度差及び信号パターンの相異に基づいて、携帯器１０の所在位置を室内外のどちらかに判定する。
【００３７】
具体的には、信号処理部１２は、第１の所定信号と第２の所定信号を同時間軸上で合成した信号を読解し、当該合成した信号を正規に読解できたか否かによって判定する。第１実施例では、第２の所定信号よりも強い受信強度で第１の所定信号を識別可能な読解のことを正規の読解とし、この読解成功をもって、携帯器１０が室外に所在している、と判定するように定めている。
【００３８】
図１中に破線で描いた円は、外側アンテナ２２、内側アンテナ２３によって形成される無線エリアを大まかに示している。図１中に室外側で外側アンテナ２２に最も近く描いた携帯器１０において、外側アンテナ２２から発信された第１の所定信号、内側アンテナ２３から発信された第２の所定信号をアンテナ部１１で受信する場合、第１の所定信号は、外側アンテナ２２から殆ど電波減衰せずにアンテナ部１１まで到達する。一方、第２の所定信号は、内側アンテナ２３からの距離が遠く、戸１と壁３の隙間や壁３を抜けてからアンテナ部１１に到達するため、電波減衰が大きくなる。このため、これら両所定信号をアンテナ部１１で受信すると、第１の所定信号の受信強度は、第２の所定信号の受信強度よりも明らかに強くなる。これら両所定信号を同時間軸上で合成した信号（以下、「合成信号」と呼ぶ。）は、図４に示すような合成信号となる。この合成信号は、同一アンテナで両所定信号を同時受信するアンテナ部１１で生成することができる。この合成信号では、第１の所定信号の受信強度Ａが第２の所定信号の受信強度ａよりも強く、第２の所定信号によって第１の所定信号が読解不可能になっていない。このため、信号処理部１２は、合成信号の全てを正規に読解することができる。この読解成功をもって、信号処理部１２は、携帯器１０が室外に所在していることを意味する出力信号を交信制御部１３へ送出する。
【００３９】
図１中に室外側で外側アンテナ２２から２番目に近く描いた携帯器１０の位置の場合、電波減衰の指数関数的な特性から、アンテナ部１１で受信した第１の所定信号の電波減衰は、図４の場合よりも大きくなり、アンテナ部１１で受信した第２の所定信号の電波減衰は、図４の場合とあまり変化しない。このため、合成信号は、図５に示すようになり、第１の所定信号の受信強度Ｂ（Ａ＞Ｂ）と第２の所定信号の受信強度ｂ（ａ＞ｂ）間での受信強度差（Ｂ−ｂ）は、（Ａ−Ｂ）＞＞（ａ−ｂ）の電波減衰によって小さくなり、合成信号を正規に読解可能な限界となる。
【００４０】
図１中に室外側で外側アンテナ２２から３番目に近く描いた携帯器１０は、無線エリアの境界付近に位置する。この位置で第１の所定信号、第２の所定信号をアンテナ部１１で受信する場合、電波減衰の指数関数的な特性から、第１の所定信号の電波減衰が図５の場合よりもさらに大きくなり、第２の所定信号の電波減衰は、図５の場合とあまり変化しない。このため、合成信号は、図６に示すようになり、第１の所定信号の受信強度Ｃ（Ａ＞Ｂ＞Ｃ）と第２の所定信号の受信強度ｃ（ａ＞ｂ＞ｃ）間での受信強度差（Ｃ−ｃ）は、（Ｂ−Ｃ）＞＞（ｂ−ｃ）の電波減衰によってさらに小さくなる。この合成信号においては、第１の所定信号と第２の所定信号が互いのパターンを打ち消しているため、第１の所定信号を第２の所定信号から識別することができない。したがって、信号処理部１２は、この合成信号の全てを正規に読解することができない。この読解エラーをもって、信号処理部１２は、携帯器１０が室外に所在していない、と判定し、これに対応の意味をもった出力信号を交信制御部１３へ送出する。この場合、実質的に無線エリアから外れているか、後述のように、携帯器１０が室内に所在しているかのいずれかである、と判定することできた、ともいえる。
【００４１】
図１中に室内側で内側アンテナ２３に最も近く描いた携帯器１０において、外側アンテナ２２から発信された第１の所定信号、内側アンテナ２３から発信された第２の所定信号をアンテナ部１１で受信する場合、室外に所在している場合とは逆に、第１の所定信号の電波減衰が第２の所定信号よりも大きくなる。したがって、合成信号は、図７に示すようになる。この合成信号では、第１の所定信号と第２の所定信号の識別が不可能なので、合成信号の全てを正規に読解することができない。この読解エラーをもって、信号処理部１２は、携帯器１０が室外に所在していない、と判定し、これに対応の意味をもった出力信号を交信制御部１３へ送出する。図１中に室内側で内側アンテナ２３から２番目に近く描いた携帯器１０の位置の場合、図８に示すように、第１の所定信号と第２の所定信号の識別が一層困難となるだけであり、同様の判定結果となる。
【００４２】
なお、携帯器１０が室外に所在しているかを判定したい場合、第２の所定信号のアンテナ出力をさらに強くすれば、図７の合成信号から第２の所定信号の受信強度を強くし、第１の所定信号と第２の所定信号の識別が可能となる。この場合、携帯器１０が室外に所在しているか否かを判定することは困難になるが、第１の所定信号よりも強い受信強度で第２の所定信号を識別可能な読解のことを正規の読解とし、この読解成功をもって、携帯器１０が室内に所在していると判定することが可能となる。
【００４３】
このように、信号処理部１２は、アンテナ部１１と外側アンテナ２２間での電波減衰が携帯器１０と内側アンテナ２３間での電波減衰よりも小さいことに基づいて、携帯器１０の所在位置を室内外のどちらかに判定することができる。
【００４４】
交信制御部１３は、信号処理部１２で携帯器１０が室外に所在していないと判定された場合、すなわち、判定不可能を意味する出力信号を信号処理部１２から入力された場合、制御装置２０と交信しない。
【００４５】
上述のような第１実施例の動作概要を図９に示す。また、制御装置２０の制御フローを図１０に示す。また、携帯器１０の交信制御部１３の制御フローを図１１に示す。図９〜図１１のスタート段階で、携帯器１０が制御装置２０に登録済みである。
【００４６】
制御装置２０は、室外側スイッチ２１の操作、携帯器１０からの電文受信を待つ（Ｓ１、Ｓ１１、Ｓ１３）。なお、待ち受け処理は、常時受け付けでもよいし、外側スイッチ２１の操作時から一定時間だけの受け付けでもよい。
【００４７】
室外側スイッチ２１の施錠操作又は解錠操作が発生すると、制御部２５は、外側アンテナ２２から第１の所定信号を、内側アンテナ２３から第２の所定信号を同時に送信し、再び、室外側スイッチ２１の操作を待つ状態に戻る（Ｓ２、Ｓ１２）。
【００４８】
携帯器１０の交信制御部１３は、第１、第２の所定信号を待つ。アンテナ部１１は、それら両所定信号を同時に受信し、合成信号を生成し、信号処理部１２に送る（Ｓ２１）。信号処理部１２は、合成信号を解読し、携帯器１０の所在位置を判定する（Ｓ２２）。交信制御部１３は、信号処理部１２から送られた出力信号に応じて、所定の通信制御を行う（Ｓ３、Ｓ２３）。すなわち、信号処理部１２によって携帯器１０が室外に所在していると判定された場合（Ｓ２２）、交信制御部１３は、認証情報を電文としてアンテナ部１１から発信する（Ｓ３、Ｓ２３）。また、信号処理部１２によって携帯器１０が室外に所在していないと判定された場合（Ｓ２２）、交信制御部１３は、何も電文を発せず、制御装置２０と交信しない（Ｓ３、Ｓ２３）。これにより、携帯器１０が室内に所在している恐れのある状態で制御装置２０が施解錠を切り替えることはない。したがって、受信アンテナ２４の受信エリア内に携帯器１０を置き忘れることを防ぎ、ひいては、置き忘れた携帯器１０があるために無権限者の室外側スイッチ２１操作時に置き忘れの携帯器１０によって不意の解錠が発生する事態を確実に防止することができる。
【００４９】
第１実施例の変更例として、信号処理部１２によって携帯器１０が室外に所在していないと判定された場合（Ｓ２２）、交信制御部１３が、その判定結果と認証情報を電文としてアンテナ部１１から発信するようにしてもよい（Ｓ３、Ｓ２３）。これにより、携帯器１０の置き忘れや不意の解錠発生を避けるための機器制御を制御装置２０によって積極的に実行することが可能となる。
【００５０】
制御部２５は、受信アンテナ２４で電文を受信すると（Ｓ１３）、受信した電文を解読し、登録済みの認証情報と照合する（Ｓ１４）。制御部２５は、錠２の施解錠切り替えを決定し、対応の制御信号を錠２に送り、再び、電文の受信を待つ状態に戻る（Ｓ６、Ｓ１５）。制御部２５が携帯器１０から電文を受信した時点で、携帯器１０が室外に所在していることは判定済みなので、錠２の施解錠を直ぐに切り替えても、置き忘れや不意の解錠の問題は生じない。
【００５１】
第２実施例を説明する。以下、第１実施例との相違点を中心に述べる。図１２に示す第２実施例の外側アンテナ２２、内側アンテナ２３は、それぞれ受信アンテナからなる。また、制御装置２０は、送信アンテナ３１を有する。
【００５２】
制御装置２０は、信号処理部３２を有する。携帯器１０は、信号処理部をもたない。信号処理部３２は、携帯器１０から送信された電波を外側アンテナ２２で受信した受信強度と、当該電波を内側アンテナ２３で受信した受信強度との受信強度差に基づいて、携帯器１０の所在位置を室内外のどちらかに判定する。
【００５３】
制御部２５には、警告器３３が接続されている。
【００５４】
第２実施例の動作概要を図１３に示す。また、第２実施例の制御装置２０の制御フローを図１４に示す。また、第２実施例の携帯器１０の交信制御部１３の制御フローを図１５に示す。
【００５５】
制御装置２０は、室外側スイッチ２１の操作、携帯器１０からの電文受信を待つ（Ｓ４１、Ｓ５１、Ｓ５３）。
【００５６】
室外側スイッチ２１の施錠操作又は解錠操作が発生すると、制御部２５は、送信アンテナ３１から交信要求の電文を発信し、再び、室外側スイッチ２１の操作を待つ状態に戻る（Ｓ４６、Ｓ５２）。
【００５７】
携帯器１０の交信制御部１３は、交信要求を待つ。アンテナ部１１は、交信要求を受信すると（Ｓ６１）、交信制御部１３に送る。交信制御部１３は、応答の電文をアンテナ部１１から発信する（Ｓ４３、Ｓ６２）。ここで、応答の電文として認証情報が採用されている。
【００５８】
制御装置２０は、外側アンテナ２２、内側アンテナ２３によって応答の電文を同時に受信する（Ｓ５３）。信号処理部３２は、携帯器１０の認証に成功したら（Ｓ５４）、外側アンテナ２２で応答の電文を受信した際の受信強度と、内側アンテナ２３で応答の電文を受信した際の受信強度とを比較する（Ｓ４４、Ｓ５５）。ここで、その外側アンテナ２２の受信強度＞内側アンテナ２３の受信強度のとき、制御部２５は、錠２の施解錠切り替えを決定し、対応の制御信号を錠２に送り、再び、電文の受信を待つ状態に戻る（Ｓ４５、Ｓ５６）。一方、その外側アンテナ２２の受信強度≦内側アンテナ２３の受信強度のとき、制御部２５は、警告器３３からの警告後（Ｓ５７）、所定の制御条件に応じて解錠の可否を決定し、対応の制御信号を錠２に送り、再び、電文の受信を待つ状態に戻る（Ｓ４５、Ｓ５８、Ｓ５９）。ここで、所定の制御条件は、携帯器１０の置き忘れや不意の解錠発生を避けるための機器制御を制御装置２０によって積極的に実行するために採用されている。第２実施例では、所定の制御条件として、警告から一定時間経過後に解錠する制御を採用しているが、その一定時間以内にサムターン４の操作を検出したことを条件に解錠を拒否する制御や、その一定時間以内に制御装置に接続された他スイッチの操作を検出したことを条件に解錠を拒否する制御等を採用することも可能である。
【００５９】
第３実施例を説明する。図１６に示す第３実施例は、前述の電波減衰をより顕著に発生させるため、外側アンテナ２２と、内側アンテナ２３との間に電磁波を吸収又は減衰させる部材が配置されたものである。そのような部材として、金属板が挙げられる。図示例では、外側アンテナ２２、内側アンテナ２３のそれぞれの背後に、金属ボックス４１や、磁性体４２が設置されている。金属ボックス４１は、外側アンテナ２２、内側アンテナ２３、磁性体４２をユニット化するベース部材の役割も果たしている。このユニットは、非金属製の室壁３や戸１に外側アンテナ２２、内側アンテナ２３を設置する場合に、単独で前述の所在判定に好ましい電波減衰を実現することができる。
【００６０】
この発明の技術的範囲は、上述の各実施形態や実施例に限定されず、特許請求の範囲の記載に基づく技術的思想の範囲内での全ての変更を含むものである。
【００６１】
例えば、この発明は、第１の所定信号及び第２の所定信号を携帯器と制御装置間で送受信する時期が相異した時期に定まっており、信号処理部が、両信号の受信後に受信強度を比較し、携帯器の所在位置を室内外のどちらかに判定する電気錠システムにすることも可能である。この場合、第１の所定信号及び第２の所定信号を同じに信号パターンに定めることができ、また、相異した信号パターンに定めることもできる。
【００６２】
また、この発明は、人感センサによる室内側の人検出を併用することで、携帯器の置き忘れや不意の解錠防止を一層防止したり、より多様な制御装置側の制御を実現したりすることも可能である。
【符号の説明】
【００６３】
２  錠
１０  携帯器
１１  アンテナ部
１２、３２  信号処理部
１３  交信制御部
２０  制御装置
２１  室外側スイッチ
２２  外側アンテナ
２３  内側アンテナ
２４  受信アンテナ
２５  制御部
３１  送信アンテナ
【図１】
2015183454.tif 000003
【図２】
2015183454.tif 000004
【図３】
2015183454.tif 000005
【図４】
2015183454.tif 000006
【図５】
2015183454.tif 000007
【図６】
2015183454.tif 000008
【図７】
2015183454.tif 000009
【図８】
2015183454.tif 000010
【図９】
2015183454.tif 000011
【図１０】
2015183454.tif 000012
【図１１】
2015183454.tif 000013
【図１２】
2015183454.tif 000014
【図１３】
2015183454.tif 000015
【図１４】
2015183454.tif 000016
【図１５】
2015183454.tif 000017
【図１６】
2015183454.tif 000018
【図１７】
2015183454.tif 000019